【事件の表示】
　特許第３０８１９９５号「画像形成機のジャム処理装置」の請求項１に係る特許に対する特許異議の申立てについて、次のとおり決定する。
【結　論】
　訂正を認める。
　特許第３０８１９９５号の請求項１に係る特許を取り消す。
【理　由】
１．手続の経緯の概要
　本件特許３０８１９９５号発明は、平成１１年１月７日に特許出願され、平成１２年６月３０日に設定登録（平成１２年８月２８日特許公報発行）がなされ、その後、平成１３年２月２８日付けでキャノン株式会社より特許異議の申立がなされ、平成１３年５月１５日に取消理由の通知がなされ、その指定期間内である平成１３年７月１１日に意見書の提出とともに訂正請求がなされたものである。
　
２．訂正の適否
（１）訂正の内容
訂正事項ａ
　特許請求の範囲の請求項１に係る記載、
　「転写紙搬送路に配設され転写紙に転写されたトナー像を加熱定着するための定着装置が、機体ハウジングの所定の装着位置に着脱可能に構成された画像形成機において、
該転写紙搬送路に配設され該転写紙搬送路を通過する転写紙を検出する転写紙検出手段と、
該定着装置が該装着位置に位置付けられているか否かを検出する定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
ことを特徴とする画像形成機のジャム処理装置。」
　を、
　「転写紙搬送路に配設され転写紙に転写されたトナー像を加熱定着するための定着装置が、機体ハウジングの所定の装着位置に着脱可能に構成された画像形成機において、
該転写紙搬送路における該定着装置の上流側及び下流側に配設された転写紙検出スイッチを含む、該転写紙搬送路を通過する転写紙を検出する転写紙検出手段と、
該定着装置が該装着位置に位置付けられているか否かを検出する定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
ことを特徴とする画像形成機のジャム処理装置。」
　に訂正する。
訂正事項ｂ
　明細書第３頁第１６行乃至第１７行の、
「該転写紙搬送路に配設され該転写紙搬送路を通過する転写紙を検出する転写紙検出手段と、」
　を、
「該転写紙搬送路における該定着装置の上流側及び下流側に配設された転写紙検出スイッチを含む、該転写紙搬送路を通過する転写紙を検出する転写紙検出手段と、」
　に訂正する。
訂正事項ｃ
　明細書第４頁第４行の「につて」を、「について」に訂正する。
訂正事項ｄ
　明細書第９頁第１３行の「（例えば　μｓｅｃ）」を削除する。
訂正事項ｅ
　明細書第７１１頁第４行の「したなれば」を、「したならば」に訂正する。
訂正事項ｆ
　明細書第１４頁第５行の「５０：定着装置」を削除する。
　
（２）訂正の目的の適否、新規事項の有無、及び特許請求の範囲の拡張・変更の存否
　
　上記訂正事項ａは、特許請求の範囲の請求項１中の、「該転写紙搬送路に配設され」を、明細書第５頁第１７〜２０行及び第６〜９行及び図２の記載に基づいて、より下位概念である「該転写紙搬送路における、該定着装置の上流側及び下流側に配設された検出スイッチを含む、」に限定しようとするものであるから、特許請求の範囲の減縮を目的とした明細書の訂正に該当する。
　
　上記訂正事項ｂは、訂正された請求項１の記載と、発明の詳細な説明との整合を図るために、明細書第３頁第１６〜１７行の記載を訂正するものであるから、明りょうでない記載の釈明を目的とした明細書の訂正に該当する。
　
　そして、上記訂正事項ａ,bは、願書に添付した明細書又は図面に記載した事項の範囲内の訂正であって、新規事項の追加に該当せず、実質上特許請求の範囲を拡張し、又は変更するものではない。
　
　上記訂正事項ｃ〜ｆは、明かな誤記を訂正するものであるから、誤記の訂正を目的とした明細書の訂正に該当する。
　
　そして、上記訂正事項ｃ〜ｆは、願書に最初に添付した明細書又は図面に記載した事項の範囲内の訂正であって、新規事項の追加に該当せず、実質上特許請求の範囲を拡張し、又は変更するものではない。
　
（３）むすび
　したがって、上記訂正は、特許法第１２０条の４第２項の規定、及び第１２０条の４第３項において準用する特許法第１２６条第２項及び第３項の規定に適合するので、該訂正を認める。
　
３．特許異議の申立の概要及び取消理由通知
（１）特許異議の申立の概要
甲第１号証：特開平９−４８５３９号公報
甲第２号証：特開平６−１７１７９４号公報
　
（２）取消理由通知
　当審は、本件の請求項１に係る特許発明は、本件特許出願前に頒布された下記刊行物１及び刊行物２に記載された発明に基づいて、当業者が容易に発明をすることができたものであるから、本件特許は、特許法第２９条第２項の規定に違反してされたものである旨の取消理由を通知した。
　
刊行物１：特開平６−１７１７９４号公報（特許異議申立書の甲第２号証）
刊行物２：特開平９−８０９４３号公報
　
４．特許異議申立についての判断
（１）本件訂正発明
　訂正明細書の請求項１に係る発明（以下、「本件訂正発明」という）は、訂正明細書の特許請求の範囲の請求項１に記載された事項により特定される次のとおりのものである。
　
「【請求項１】転写紙搬送路に配設され転写紙に転写されたトナー像を加熱定着するための定着装置が、機体ハウジングの所定の装着位置に着脱可能に構成された画像形成機において、
該転写紙搬送路における該定着装置の上流側及び下流側に配設された転写紙検出スイッチを含む、該転写紙搬送路を通過する転写紙を検出する転写紙検出手段と、該定着装置が該装着位置に位置付けられているか否かを検出する定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
ことを特徴とする画像形成機のジャム処理装置。」
　
（２）引用刊行物の記載事項
　当審が通知した、取消理由に引用した刊行物１（特開平６−１７１７９４号公報：特許異議申立人キャノン株式会社の提出した甲第２号証）には、画像形成装置であるページプリンタについて、図面とともに、以下のことが記載されている。
記載事項ａ．（２ページ段落【０００２】）
　「【０００２】　【従来の技術】従来より、複写機や電子写真プリンタ等の画像形成装置においては、用紙詰まり（用紙ジャム）が発生すると、その用紙ジャムを装置が検知して印刷動作を自動的に停止する制御が行われている。」
記載事項ｂ．（２ページ段落【０００５】）
　「【０００５】　【発明が解決しようとする課題】　しかしながら、上記従来例の場合、いずれもシェルを開けて容易にジャム用紙を確認できる場合には支障はないが、例えば用紙ジャムの発生位置が、カバーで覆われているような定着部等の箇所ではジャム用紙の確認がしづらく、且つ定着ロール等に用紙が巻き付いた状態で停止している時、装置の印刷動作停止は用紙ジャムではなく、給紙装置の用紙供給のし損ないであるとしてジャム用紙を取り除かないまま再起動してしまうことが多い。」
記載事項ｃ．（３ページ段落【００１６】）
　「【００１６】　図１において、定着部１は用紙上のトナー像を熱定着する加熱ロール２、定着部１全体を覆う定着カバー３、この定着カバー３の支持部３ａに回転自在に支持される回転軸４、この回転軸４のほぼ中央部に固定され、詳しくは後述するが、通過する用紙Ｐに接触して先端が同図に示す矢印Ｂの方向に円弧運動を行なう用紙検知手段としての排紙アクチュエータ５、上記回転軸４の先端に取り付けられ、この回転軸４を介して排紙アクチュエータ５に連動し、排紙アクチュエータ５の円弧運動と共に同図に示す矢印Ｃの方向に円弧運動を行う遮光部材６、その遮光部材６の円弧運動により入光路を遮蔽または開放されてオン／オフする搬送路開放検知手段及び用紙検知手段としてのフォト・インタラプタスイッチ７、上記加熱ロール２に用紙Ｐを下から押圧するプレスロール８で構成されている。」
記載事項ｄ．（３ページ段落【００２１】）
　「【００２１】　このように、本実施例の定着部１の構成においては、フォト・インタラプタスイッチ７は、一方で、定着部１における巻き込まれていない状態の用紙Ｐの有無を検知し、他方では、定着部１の定着カバー３の開閉を検知する構成である。」
記載事項ｅ．（４ページ段落【００２８】）
　「【００２８】　ＣＰＵ２５は、ＲＯＭ２６に記憶されているプログラムに基づいて、各々対応する駆動回路を介して装置各部を制御する。また、上記シェル開閉センサ２８、及びフォト・インタラプタスイッチ７のオン／オフを検出して、その検出結果に基づいて、上記モータ駆動回路２９を介してモータの回転を制御し、定着ヒータドライバ３０を介して定着ヒータのオン／オフを制御する。」
記載事項ｆ．（４ページ段落【００３２】の２８〜３０行）
　「不図示の表示装置、例えば本体カバー１０ｂ上に設けられた液晶表示装置に、用紙ジャムの発生を報知する表示を行う」
記載事項ｇ．（５ページ段落【００３６】の１３〜１４行）
　「表示装置に、故障が修復されて正常になったことを示す正常表示を行う」
記載事項ｈ．（５ページ段落【００３８】３４〜３７行）
　「図８に示す処理（ＳＴ８）で定着カバー３が閉じられたままでなく、ユーザにより一旦開かれた後、すなわち、巻き付いたジャム用紙の有無が確認されてから閉じられたものであるか否かが判断される。」
記載事項ｉ．（５ページ段落【００４６】）
　「【００４６】　このように制御すれば、例えばユーザが本体カバー１０ｂの開閉のみを行って、定着カバー３を閉じなかった場合、フォト・インタラプタスイッチ７がオンからオフに変化する信号のエッジが検出されないため（ＳＴ１１−２がＮ）、条件１フラグが設定されず、かかる場合フラグクリア処理は実行されず（ＳＴ１１−８）、用紙ジャムの表示（ＳＴ４）はされたままとなる。したがって、ユーザは本体カバー１０ｂを閉じたにも係わらず、用紙ジャム表示が消えないので本体カバー１０ｂを再度開放し、さらに定着カバー３を開放してジャム用紙の有無の確認をするよう促すことができる。」
記載事項ｊ．（６ページ段落【００５４】）
　「【００５４】　尚、上述した２つの実施例において、定着器のカバーの開閉を検出するようにしているが、これに限ることなく、開放操作又は取り外し操作によらないとジャム用紙の確認ができない構造部分であれば同様に適用できることは勿論である。」
　
　また、当審が通知した、取消理由に引用した刊行物２（特開平９−８０９４３号公報）には、印字装置の定着装置について、図面とともに、以下のことが記載されている。
記載事項ｋ．（２ページ段落【０００４】）
　「【０００４】本発明は、ユーザーが安全に着脱操作できるとともに、構成の簡易化並びにジャム処理の容易化向上を図れる定着装置の提供を、その目的とする。」
記載事項ｌ．（２ページ段落【０００６】の４７〜５０行）
　「図１に示すように、定着装置２は、概略、加熱定着器４と、この加熱定着器４の上面側に一体に形成された合成樹脂製の取っ手６とからなるユニットとして構成されている。」
記載事項ｍ．（３ページ段落【０００７】の６〜１１行）
　「【０００７】取っ手６は、印字装置１２に対する着脱方向（矢印Ｐ方向）に沿って延びる長板状に形成されており、これに対応して印字装置１２側にはガイドレール１４，１４が形成されている。すなわち、取っ手６は、取っ手としての機能を有するとともに着脱の際のガイド部材としての機能を有するように構成されている。」
　
（３）対比・判断
　本件訂正発明（以下「前者」という）を、刊行物１記載のもの（以下「後者」という）と比較すると、上記記載事項ｃより、後者の定着部１は用紙上のトナー像を熱定着する加熱ロール２を有するので、前者の「転写紙搬送路に配設され転写紙に転写されたトナー像を加熱定着するための定着装置」に相当する。
　また、上記記載事項ｃより、後者の用紙検知手段としてのフォト・インタラプタスイッチ７は、前者の「転写紙検出手段」に相当する。
　また、上記記載事項ｄより、後者のフォト・インタラプタスイッチ７は、一方で、定着部１における巻き込まれていない状態の用紙Ｐの有無を検知し、他方では、定着部１の定着カバー３の開閉を検知するものであるから、後者のフォト・インタラプタスイッチ７は、定着部の定着カバーが所定の位置に位置づけられているか否かを検出する手段となっているので、前者の「定着装置検出手段」に対応する。
　また、上記記載事項ｆより、後者の表示装置は、用紙ジャムの発生を報知する表示を行うものであるので、前者の「表示手段」に相当する。
　さらに、上記記載事項ｅより、後者のＣＰＵ２５は、フォト・インタラプタスイッチ７のオン／オフを検出して、その検出結果に基づいて制御を行うものであり、上記記載事項ｈ，ｉより、定着カバー３が閉じられたままでなく、ユーザにより一旦開かれた後、すなわち、巻き付いたジャム用紙の有無が確認されてから閉じられたものであるか否かを判断するものであり、ユーザが、定着カバー３を一旦開いて閉じなかった場合、用紙ジャムの表示（ＳＴ４）をしたままにするものであるので、前者の「制御手段」に対応する。
　そこで、両者は、次の一致点で一致し、相違点１ないし４で相違する。
　
（一致点）
　「転写紙搬送路に配設され転写紙に転写されたトナー像を加熱定着するための定着装置が、機体ハウジングの所定の装着位置に構成された画像形成機において、
該転写紙搬送路における、該転写紙搬送路を通過する転写紙を検出する転写紙検出手段と、
定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙搬送路に転写紙がジャムしていると判定して該表示手段にジャム表示を行い、その後該転写紙検出手段が転写紙を検出しなくても該定着装置検出手段が該定着装置でのジャム確認操作を検出しないときは該表示手段へのジャム表示を継続する、
ことを特徴とする画像形成機のジャム処理装置。」
　
（相違点１）
　前者の転写紙検出手段は、転写紙搬送路における該定着装置の上流側及び下流側に配設された転写紙検出スイッチを含むものであるのに対し、後者の転写紙検出手段は、定着部に配設されたフォト・インタラプタスイッチ以外のものを含むものか否か不明である点。
　
（相違点２）
　前者の制御手段は、転写紙検出手段が所定時間以上転写紙を検出した場合は、転写紙搬送路に転写紙がジャムしていると判定して、表示手段にジャム表示を行うものであるのに対し、後者のＣＰＵは、転写紙検出手段からの信号に基づいて、どのように転写紙のジャムを判定するのか、明かでない点。
　
（相違点３）
　前者の定着装置は、機体ハウジングの所定の装着位置に着脱可能に構成されているのに対し、後者の定着部は、定着カバーが定着部本体に対して開閉可能に構成されているが、定着部自体は機体ハウジングの所定の装着位置に着脱可能に構成されていない点
　
（相違点４）
　前者の定着装置検出手段は、定着装置が装着位置に位置付けられているか否かを検出するものであり、前者の制御手段は、ジャム判定後、定着装置検出手段が、定着装置でのジャム確認操作を示す、定着装置の装着位置からの離脱と装着位置への位置付けを検出しないときは、表示手段へのジャム表示を継続するものであるのに対し、後者のフォト・インタラプタスイッチは、定着カバーが定着部本体に対して開いているか否かを検出するものであり、後者のＣＰＵは、ジャム判定後、フォト・インタラプタスイッチが、定着部でのジャム確認操作を示す、定着カバーの開及び閉動作を検出しないときは、表示手段へのジャム表示を継続するものである点。
　
（相違点１についての判断）
　上記記載事項ａには、「従来より、複写機や電子写真プリンタ等の画像形成装置においては、用紙詰まり（用紙ジャム）が発生すると、その用紙ジャムを装置が検知して印刷動作を自動的に停止する制御が行われている」とあるが、ジャムが発生し得る場所は、転写紙搬送路の唯一の部位に限るものではなく、その複数部位に存在するものであることは、一般に良く知られているので、コピー機等の画像形成機においては、転写紙搬送路のいずれの部分においてジャムが発生しても、これを適切に検出できるように、定着装置の上流側及び下流側を含む転写紙搬送路の複数ヶ所に、転写紙検出手段を設けることが周知である。
　この点について、例えば、本件明細書の【従来の技術】にも引用されている、特公平５−３７３１３号公報には、定着ローラ７，７ａの上流側の紙搬送路に給紙センサ１０及び紙の通過センサ１２を、そして、定着ローラ７，７ａの下流側の紙搬送路に排紙センサ１１をそれぞれ設けるとともに、該センサ１０〜１２による紙の検出時間を、各センサにつながるタイマー１７，１８，２７で計測し、タイマからの出力信号を利用して、ジャムの発生を検出するようにしたものが記載されている。
　そこで、転写紙検出手段が、転写紙搬送路における該定着装置の上流側及び下流側に配設された転写紙検出スイッチを含むように構成することは、当業者が必要に応じ適宜なし得た設計的事項にすぎない。
　
（相違点２についての判断）
　ジャム有りの判定を、転写紙検出手段が所定時間以上転写紙を検出したことを条件に行うことは、周知の事項にすぎない。
　この点については、例えば、上記特公平５−３７３１３号公報の記載を参照されたい。
　
（相違点３についての判断）
　本件訂正発明において、定着装置を、機体ハウジングの所定の装着位置に着脱可能に構成している理由は、本件訂正明細書の【００１９】に、「定着装置５０を装着位置から取り出して、装着状態では確認困難な定着ハウジング５１内でのジャムの有無の確認およびジャムした転写紙を除去した後に装着位置に再び位置付け」と記載されていることから、定着装置内のジャムの有無の確認及びジャム処理を容易にするためと解することができる。
　ところで、刊行物１記載のものにおいて、定着部の定着カバーを開閉可能に構成している理由も、上記記載事項ｂ等より、定着部内のジャムの有無の確認及びジャム処理を容易にするためであると解することができる。
　一方、刊行物２には、記載事項ｋ〜ｍからみて、ジャム処理の容易化向上を図れる定着装置の提供を目的とした、印字装置に対して着脱可能な定着装置が記載されている。
　そこで、刊行物２に記載されたものに倣って、ジャムの確認及びその処理を容易にする目的で、刊行物１記載の定着カバーが開閉可能な定着部に代え、機体ハウジングの所定の装着位置に着脱可能な定着装置を選択することは、当業者が適宜なし得たことであるが、この場合、ジャムの確認が行われたことは、定着カバーの開閉ではなく、定着装置の着脱により検知することになる。
　そして、刊行物１には、上記記載事項ｊに「定着器のカバーの開閉を検出するようにしているが、これに限ることなく、開放操作又は取り外し操作によらないとジャム用紙の確認ができない構造部分であれば同様に適用できる」との示唆があることからも、着脱式の定着装置を選択するにあたって、定着装置検出手段として、カバーの開閉を検出するものに代え、定着装置の着脱を検出するものを採用して、相違点３に係る本件訂正発明の構成のようにすることは、当業者が、格別困難なく想到し得たことである。
　
（相違点４についての判断）
　刊行物１記載のものにおいて、定着カバーが開閉可能な定着部に代え、刊行物２記載のものに倣って、機体ハウジングの所定の装着位置に着脱可能な定着装置を採用するにあたっては、上述のように、定着装置内のジャムの有無の確認が行われたか否かを、定着装置の着脱を検出することにより判断することになるから、ジャム判定後、定着装置検出手段が定着装置の離脱及び位置づけを検出しない場合には、ＣＰＵが表示手段へのジャム表示を継続するようにして、相違点４に係る本件訂正発明の構成のようにすることは、当業者が容易に想到し得たことである。
　
　なお、本件特許権者は、特許異議意見書において、概略、刊行物１記載のものには、定着装置以外において転写紙がジャムした場合の処理については全く記載されておらず、これに対して、本件特許発明は、定着装置内でのジャムか否かにかかわらず転写紙のジャムが発生した場合の処理に関するものであり、定着装置内における転写紙のジャムを検出することができない場合の問題を解決するものであるから、本件特許発明の本質的特徴は、刊行物１には全く記載も示唆もされていない旨主張している。
　しかしながら、引用例１記載のものは、ジャム処理にあたり、ユーザが定着装置内の用紙の存否を確認しないままに、画像形成装置を再起動してしまうことを防止することを、その課題とするものであり（引用例１、段落【０００５】〜【０００７】参照）、一方、周知のように、画像形成装置でのジャムの発生可能個所は、転写紙搬送路に沿った複数の部位にわたるのであって、そのいずれの部分で発生したジャムを処理する場合についても、上記課題は存在するのであるから、引用例１記載の技術思想を、複数ヶ所でのジャムの発生を検出することのできる、周知の画像形成装置に適用することに、格別な困難性は認められないので、本件特許権者の上記主張は採用できない。
　
（４）むすび
　以上のとおりであるので、本件訂正発明は、刊行物１，２及び周知技術に基づいて、当業者が容易に発明をすることができたものであるから、本件訂正発明の特許は、特許法第２９条第２項の規定に違反してされたものである。
　したがって、本件発明についての特許は、特許法第１１３条第２項に該当し、取り消されるべきものである。
　よって、結論の通り決定する。
【異議決定日】
平成１４年１月２４日（２００２．１．２４）
【訂正の要旨】
　【訂正の要旨】
訂正事項ａ
　特許請求の範囲の請求項１に係る記載、
　「転写紙搬送路に配設され転写紙に転写されたトナー像を加熱定着するための定着装置が、機体ハウジングの所定の装着位置に着脱可能に構成された画像形成機において、
該転写紙搬送路に配設され該転写紙搬送路を通過する転写紙を検出する転写紙検出手段と、
該定着装置が該装着位置に位置付けられているか否かを検出する定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
ことを特徴とする画像形成機のジャム処理装置。」
　を、特許請求の範囲の減縮を目的として、
　「転写紙搬送路に配設され転写紙に転写されたトナー像を加熱定着するための定着装置が、機体ハウジングの所定の装着位置に着脱可能に構成された画像形成機において、
該転写紙搬送路における該定着装置の上流側及び下流側に配設された転写紙検出スイッチを含む、該転写紙搬送路を通過する転写紙を検出する転写紙検出手段と、
該定着装置が該装着位置に位置付けられているか否かを検出する定着装置検出手段と、
該転写紙検出手段および該定着装置検出手段からの信号に基づいて該転写紙搬送路に転写紙がジャムしているか否かおよびジャムが解消したか否かを判定する制御手段と、
該制御手段による判定結果を表示する表示手段と、を具備し、
該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
ことを特徴とする画像形成機のジャム処理装置。」
　に訂正する。
訂正事項ｂ
　明細書第３頁第１６行乃至第１７行の、
「該転写紙搬送路に配設され該転写紙搬送路を通過する転写紙を検出する転写紙検出手段と、」
　を、明りょうでない記載の釈明を目的として、
「該転写紙搬送路における該定着装置の上流側及び下流側に配設された転写紙検出スイッチを含む、該転写紙搬送路を通過する転写紙を検出する転写紙検出手段と、」
　に訂正する。
訂正事項ｃ
　明細書第４頁第４行の「につて」を、誤記の訂正を目的として、「について」に訂正する。
訂正事項ｄ
　明細書第９頁第１３行の「（例えば　μｓｅｃ）」を、誤記の訂正を目的として、削除する。
訂正事項ｅ
　明細書第７１１頁第４行の「したなれば」を、、誤記の訂正を目的として、「したならば」に訂正する。
訂正事項ｆ
　明細書第１４頁第５行の「５０：定着装置」を、誤記の訂正を目的として、削除する。
（５４）【発明の名称】
画像形成機のジャム処理装置
（５７）【特許請求の範囲】
　【請求項１】　転写紙搬送路に配設され転写紙に転写されたトナー像を加熱定着するための定着装置が、機体ハウジングの所定の装着位置に着脱可能に構成された画像形成機において、
　該転写紙搬送路に
おける該定着装置の上流側及び下流側に配設された転写紙検出スイッチを含む、
　該定着装置が該装着位置に位置付けられているか否かを検出する定着装置検出手段と、
　該転写紙検出手段および該定着装置検出手段からの信号に基づいて該転写紙搬送路に転写紙がジャムしているか否かおよびジャムが解消したか否かを判定する制御手段と、
　該制御手段による判定結果を表示する表示手段と、を具備し、
　該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
　ことを特徴とする画像形成機のジャム処理装置。
【発明の詳細な説明】
　【０００１】
　【発明の属する技術分野】
　本発明は、静電式複写機や静電式印刷機等の画像形成機のジャム処理装置に関する。
　【０００２】
　【従来の技術】
　静電式複写機や静電式印刷機等の画像形成機においては、所定方向に回転される感光体ドラムの周表面にトナー像が形成され、このトナー像が転写紙搬送路を通して搬送され転写域を通過する転写紙に転写される。上記転写域より下流側の搬送路には定着装置が配設されており、トナー像が転写された転写紙が定着装置を通過する際に上記トナー像が加熱定着される。このようにしてトナー像が定着された転写紙は、転写紙搬送路の下流側端部に配設された排出ローラ対を通して排出トレイに排出される。このような画像形成機において、上記転写紙搬送路中に転写紙が紙詰まり（ジャム）が発生した場合には、このジャムの発生を表示し、ジャムした転写紙を取り除きリセットスイッチを押すとジャム表示を消去するようにした画像形成機が、例えば特公平５ー３７３１３号公報に開示されている。即ち、この公報に開示された技術は、転写紙搬送路に配設された各搬送ローラ間に通過する転写紙を検出する転写紙検出手段を各々配設し、この転写紙検出手段のいずれかが所定時間以上転写紙の存在を検出したらジャム（紙詰まり）が発生した位置を表示手段にジャム表示するとともに、画像形成動作を停止する。そして、ジャムした転写紙を取り除きリセットスイッチを押すとジャム表示を消去し、画像形成機の画像形成動作を可能とする。
　【０００３】
　【発明が解決しようとする課題】
　而して、転写紙搬送路の各搬送ローラ間においてジャムが発生した場合は、機体ハウジングの前カバーを開くことにより、ジャムした転写紙を比較的容易に確認することができるため、これを確実に取り除くことができる。しかしながら、定着装置内でジャムが発生した場合には、ジャムした転写紙を確認することが非常に難しい。即ち、定着装置は定着ローラとこの定着ローラと協働する加圧ローラが定着ハウジング内に配設されているので、定着ローラと加圧ローラとのニップ部を通過した転写紙が定着ハウジング内でジャムすると、複数枚の転写紙が蛇腹状となる。この蛇腹状ジャムの発生により後続の転写紙が定着装置の上流側でジャムすると、転写紙搬送路に配設された転写紙検出手段がこれを検出して、ジャムの発生を表示する。このジャム表示によりオペレータが前カバーを開ければ、定着装置の上流側でジャムした転写紙を確認することができるため、この転写紙を取り除くとジャム表示は消去される。即ち、定着ハウジング内には転写紙検出手段を配設することは構造上困難であるため、定着ハウジング内でジャムしていてもこれを検出することができない。従って、ジャム表示が消去されたことにより画像形成が可能となり、複写開始キーが押されて複写動作が行われると、上記のように定着ハウジング内でジャムしているため、定着装置の上流側で再度ジャムが発生する。
　【０００４】
　本発明は上記事実に鑑みてなされたものであり、その主たる技術課題は、転写紙搬送路でジャムが発生した場合には、定着装置を一旦装着位置から外して再度装着位置に位置付けなければ、ジャム表示を継続することにより、ジャム発生時には定着装置内を確認するようにした画像形成機のジャム処理装置を提供することである。
　【０００５】
　【課題を解決するための手段】
　上記主たる技術的課題を解決するために、本発明によれば、転写紙搬送路に配設され転写紙に転写されたトナー像を加熱定着するための定着装置が、機体ハウジングの所定の装着位置に着脱可能に構成された画像形成機において、
　該転写紙搬送路に
おける該定着装置の上流側及び下流側に配設された転写紙検出スイッチを含む、
　該定着装置が該装着位置に位置付けられているか否かを検出する定着装置検出手段と、
　該転写紙検出手段および該定着装置検出手段からの信号に基づいて該転写紙搬送路に転写紙がジャムしているか否かおよびジャムが解消したか否かを判定する制御手段と、
　該制御手段による判定結果を表示する表示手段と、を具備し、
　該制御手段は、該転写紙検出手段が所定時間以上転写紙を検出した場合は該転写紙搬送路に転写紙がジャムしていると判定して該表示手段にジャム表示を行い、その後該転写紙検出手段が転写紙を検出しなくても該定着装置検出手段が該定着装置の該装着位置からの離脱と該装着位置への位置付けを検出しないときは該表示手段へのジャム表示を継続する、
　ことを特徴とする画像形成機のジャム処理装置が提供される。
　【０００６】
　【発明の実施の形態】
　以下、本発明に従って構成された画像形成機のジャム処理装置の好適実施形態につ
い
　【０００７】
　図１および図２には、画像形成機としての静電複写機が示されている。静電複写機は機体ハウジング２を有し、この機体ハウジング２の上面には、複写すべき原稿が載置される静止透明板４が配設されている。また、機体ハウジング２の上面には、自動原稿搬送装置５が透明板４の後側縁に沿って延びる旋回軸線を中心として図１に実線で示す閉位置と２点鎖線で示す開位置との間を旋回自在に装着されている。静電複写機の透明板４上に手動で原稿を載置する場合には、自動原稿搬送装置５を開位置にして透明板４を露呈させ、透明板４上の所要位置に原稿を載置し、そして自動原稿搬送装置５を閉位置にして透明板４およびその上に載置された原稿を覆う。自動原稿搬送装置５を使用して透明板４上に原稿を自動的に搬入し、そして透明板４上から自動的に搬出する場合には、自動原稿搬送装置５は閉位置に位置付けられる。
　【０００８】
　上記機体ハウジング２の前面には、図１に示すように前カバー２ａ、２ａがその側縁を支点として開閉可能に装着されている。前カバー２ａ、２ａの開閉に関連して作動するカバースイッチ６（ＳＷ１）が、機体ハウジング２の前面に配設されている。このカバースイッチ６（ＳＷ１）は、前カバー２ａが閉じられるとＯＮ信号を、また前カバー２ａが開放されるとＯＦＦ信号を後述する制御手段に送る。図示の実施形態においては、機体ハウジング２の手前側上面には操作盤７が配設されている。この操作盤７には複写開始キー８（ＳＷ２）、両面複写指定キー９（ＳＷ３）、複写部数設定キー１０（ＳＷ４）、テンキー１１（ＳＷ５）等の各種キーおよび表示手段１２（ＤＳＰ）が配設されている。
　【０００９】
　機体ハウジング２内の略中央部には、図２に示すように感光体ドラム８が回転自在に配設されている。この感光体ドラム２０は、図示しない駆動手段によって矢印２０ａで示す方向に回転駆動される。この感光体ドラム２０の周囲には、矢印２０ａで示す回転方向に見て順次に、帯電用コロナ放電器２１、現像装置２２、転写用コロナ放電器２３、剥離用コロナ放電器２４、クリーニングユニット２５および除電ランプ２６が配設されている。図示の静電複写機は、上記感光体ドラム２０の上方に配設された照射ランプ２７、第１のミラー２８、第２のミラー２９、第３のミラー３０、レンズ３１、第４のミラー３２からなる光学系を具備している。この光学系は、照射ランプ２７によって静止透明板４上に置かれた原稿に照射し、その反射光像を第１のミラー２８、第２のミラー２９、第３のミラー３０、レンズ３１および第４のミラー３２を介して上記感光体ドラム２０の外周面上に結像するように構成されている。
　【００１０】
　図示の静電複写機は、上記転写用コロナ放電器２３と感光体ドラム２０との間の転写域を通して転写紙を搬送する転写紙搬送路３５を備えている。転写紙搬送路３５における感光体ドラム２０より上流側の搬送路３５１には、搬送ローラ対３６と３７およびレジストローラ対３８が配設されており、これら各ローラ対は図示しない駆動手段によって図において矢印で示す方向に各々回転駆動せしめられる。上記搬送ローラ対３６と３７との間および搬送ローラ対３７とレジストローラ対３８との間には、搬送路３５１を通過する転写紙を検出する転写紙検出手段としての転写紙検出スイッチ４０（ＳＷ６）および４１（ＳＷ７）が配設されている。この転写紙検出スイッチ４０（ＳＷ６）および４１（ＳＷ７）は、転写紙を検出しているときはＯＮ信号を、また転写紙を検出していないときはＯＦＦ信号を後述する制御手段に送る。
　【００１１】
　上述した搬送路３５１の上流側には、該搬送路３５１に転写紙を送給する転写紙送給装置４３が配設されている。この転写紙送給装置４３は、転写紙を収納する転写紙カセット４４ａ、４４ｂ、転写紙送出ローラ４５ａ、４５ｂ、捌きローラ対４６ａ、４６ｂを具備している。このように構成された転写紙送給装置４３の上記各ローラ対は、図示しない駆動手段によって図において矢印で示す方向に各々回転駆動せしめられる。
　【００１２】
　上記転写紙搬送路３５における感光体ドラム２０より下流側の搬送路３５２には、転写紙搬送ベルト機構４８、定着装置５０および排出ローラ対６０が配設されており、これら搬送ベルト機構４８と定着装置５０を構成する後述する定着ローラおよび加圧ローラと排出ローラ対６０は、図示しない駆動手段によって図において矢印で示す方向に各々回転駆動せしめられる。上記転写紙搬送ベルト機構４８と定着装置５０との間および定着装置５０と排出ローラ対６０との間には、搬送路３５２を通過する転写紙を検出する転写紙検出手段としての転写紙検出スイッチ６１（ＳＷ８）および６２（ＳＷ９）が配設されている。この転写紙検出スイッチ６１（ＳＷ８）および６２（ＳＷ９）は、転写紙を検出しているときはＯＮ信号を、また転写紙を検出していないときはＯＦＦ信号を後述する制御手段に送る。
　【００１３】
　次に、上記定着装置５０について説明する。
　図示の定着装置５０は、下ハウジング５１１と上ハウジング５１２とからなる定着ハウジング５１を具備している。この定着ハウジング５１内には定着ローラ５２と、該定着ローラ５２と協働する加圧ローラ５３が互いに対向して配設されている。定着ローラ５２は上ハウジング５１２に回転自在に支持され、加圧ローラ５３は下ハウジング５１１に回転自在に支持されている。定着ローラ５２は中空状に形成されており、その内部に加熱手段としてのハロゲンランプ５４（ＨＥＴ）が配設されている。図示の定着装置５０は、上記定着ローラ５２の周表面に対向して配設されたローラ温度検出手段としてのサーミスタ５５（ＴＨＭ）を備えている。このサーミスタ５５（ＴＨＭ）は、定着ローラ５２の周表面に近接ないし接触して配設され、その検出信号を後述する制御手段に送る。なお、定着ローラ５２の周表面の温度は、定着時にはトナー像の定着に最適な所定の定着温度例えば１８５°Ｃに維持され、待機時には該定着温度より低い値に設定された予熱温度例えば１５０°Ｃに維持されるようになっている。
　【００１４】
　上述した定着装置５０の定着ローラ５２および加圧ローラ５３は、消耗品であり、従って、所定期間使用されると新しいものに交換される。このため、定着装置５０はユニット化され機体ハウジング２内の所定の装着位置に着脱可能に構成されている。図３は、定着装置５０が装着位置に位置付けられた状態を示すものである。定着装置５０を装着位置に位置付ける際には、機体ハウジング２の前カバー２ａを開け、定着装置５０を機体フレームを構成する載置台６５に手前側から奥側（図３において右から左側）に向けて挿入する。そして、図３に示す装着位置に位置付けられると、定着装置５０の定着ハウジング５１を構成する下ハウジング５１１の奥側端壁５１１ａに取り付けられた位置決めピン７０が機体フレームを構成する奥側側板６６に設けられた位置決め穴６６１に嵌合する。このとき、定着装置５０の定着ハウジング５１を構成する上ハウジング５１２の奥側端壁５１２ａに取り付けられた上記ハロゲンランプ５４（ＨＥＴ）のコネクタ７１および上記サーミスタ５５（ＴＨＭ）のコネクタ７２が上記奥側側板６６に取り付けられたコネクタ端子７３および７４と各々接続される。なお、図示の実施形態においては、定着装置５０が図３に示す装着位置に位置付けられているか否かを検出する定着装置検出手段としての定着装置検出スイッチ７５（ＳＷ１０）が、上記奥側側板６６に配設されている。この定着装置検出スイッチ７５（ＳＷ１０）は、定着装置５０が図３に示す装着位置に位置付けられているときはＯＮ信号を、また装着位置に位置付けられていないときはＯＦＦ信号を後述する制御手段に送る。
　【００１５】
　図示の画像形成機は、図４に示す制御手段１００を具備している。制御手段１００は、マイクロコンピュータによって構成されており、制御プログラムに従って演算処理する中央処理装置（ＣＰＵ）１０１と、制御プログラムを格納するリードオンリメモリ（ＲＯＭ）１０２と、演算結果等を格納する読み書き可能なランダムアクセスメモリ（ＲＡＭ）１０３と、タイマ１０４（Ｔ）と、カウンタ１０５と、入力インターフェース１０６および出力インターフェース１０７とを備えている。このように構成された制御手段１００は、機体ハウジング２の側板に配設された電源スイッチ７６（ＳＷ１１）（図２参照）が投入（ＯＮ）されると制御プログラムに従って作動するようになっている。制御手段１００の入力インターフェース１０６には、上記カバースイッチ６（ＳＷ１）、複写開始キー８（ＳＷ２）、両面複写指定キー９（ＳＷ３）、複写部数設定キー１０（ＳＷ４）、テンキー１１（ＳＷ５）、転写紙検出スイッチ４０（ＳＷ６）、４１（ＳＷ７）、６１（ＳＷ８）、６２（ＳＷ９）、定着装置検出スイッチ７５（ＳＷ１０）、サーミスタ５５（ＴＨＭ）等からの検出信号が入力され、出力インターフェース１０７から定着ローラ５２に配設された加熱手段としてのハロゲンランプ５４（ＨＥＴ）、表示手段１２（ＤＳＰ）および上記各部材を駆動するために駆動源である各電動モータ（図示せず）等に制御信号を出力する。
　【００１６】
　以上のように構成された静電複写機は、感光体ドラム２０が矢印２０ａで示す方向に回転駆動せしめられる間に、帯電用コロナ放電器２１が感光体ドラム２０上の感光体を特定極性に実質上均一に帯電し、次いで、照射ランプ２７によって静止透明板４上に置かれた原稿に照射し、その反射光像が第１のミラー２８、第２のミラー２９、第３のミラー３０、レンズ３１および第４のミラー３２を介して前記感光体ドラム２０上に走査露光され、感光体ドラム２０上に静電潜像が形成される。しかる後、感光体ドラム２０上の静電潜像が現像装置２２によってトナー像に現像される。一方、転写紙送給装置４３の転写紙カセット４４ａまたは４４ｂに収納された転写紙が転写紙送出ローラ４５ａまたは４５ｂから搬送路３５１に送り出される。搬送路３５１に送り出された転写紙は、搬送ローラ対３６、３７によって搬送され、レジストローラ対３８で一端停止し、上記感光体ドラム２０に形成されるトナー像と同期して転写域に搬送される。転写域に搬送された転写紙は、トナー像が形成された感光体ドラム２０と転写用コロナ放電器２３の間を通過することによってトナー像が転写される。そして、トナー像が転写された転写紙は、剥離用コロナ放電器２４の作用によって感光体ドラム２０から剥離され、転写紙搬送ベルト機構４８によって定着装置５０に搬送され、定着ローラ５２と加圧ローラ５３との間を通過することによって加熱定着され、排出ローラ対６０から排出トレイ６３に排出される。また、上述のようにして転写工程が終了した感光体ドラム２０は、クリーニングユニット２５によってその外周面に付着しているトナーが除去され、更に、除電ランプ２６によって感光体表面に除電光が照射され、除電される。
　【００１７】
　次に、上述した画像形成時に転写紙搬送路３５中でジャム（紙詰まり）が発生した場合の、制御手段１００のジャム処理について、その動作手順の一実施形態を図４に示すフローチャートに基づいて説明する。
　制御手段１００は、転写紙搬送路３５中に配設された転写紙検出スイッチ４０（ＳＷ６）、４１（ＳＷ７）、６１（ＳＷ８）、６２（ＳＷ９）のいずれかがＯＮしたか否かをチェックし（ステップＳ１）、全ての転写紙検出スイッチがＯＮしていなければ他の制御へ移行する。ステップＳ１において転写紙検出スイッチ４０（ＳＷ６）、４１（ＳＷ７）、６１（ＳＷ８）、６２（ＳＷ９）のいずれかがＯＮしたならば、制御手段１００はステップＳ２に進んでタイマ１０４（Ｔ）をＴ１にセットする。このセット時間Ｔ１は、転写紙の搬送周期より長い所定の
値に
　【００１８】
　ステップＳ３において転写紙検出スイッチ４０（ＳＷ６）、４１（ＳＷ７）、６１（ＳＷ８）、６２（ＳＷ９）の全てがＯＦＦしなければ、制御手段１００はステップＳ４に進んでタイマ１０４（Ｔ）をセットしてからの経過時間ＴＳがセット時間Ｔ１に達したか否かをチェックする。ステップＳ４において上記経過時間ＴＳがセット時間Ｔ１に達しない場合は、制御手段１００はステップＳ３に戻ってステップＳ３およびステップＳ４を繰り返し実行する。ステップＳ４において上記経過時間ＴＳがセット時間Ｔ１に達したならば、制御手段１００は転写紙搬送路３５中で転写紙がジャムしていると判断し、ステップＳ５に進んで表示手段１２（ＤＳＰ）にジャム表示を行う。なお、ジャム表示は転写紙検出スイッチ４０（ＳＷ６）、４１（ＳＷ７）、６１（ＳＷ８）、６２（ＳＷ９）のＯＮが継続している箇所を番号等で表示される。
　【００１９】
　上記のようにして転写紙搬送路３５中でジャムが発生したと判定して表示手段１２（ＤＳＰ）にジャム表示すると、制御手段１００は複写開始キー８（ＳＷ２）を押しても画像形成動作を行わない。表示手段１２（ＤＳＰ）にジャム表示されることにより、オペレータはジャムした転写紙を取り除く作業を実施する。以下、制御手段１００はジャムした転写紙が取り除かれたか否かを判定するためステップＳ６乃至ステップＳ１０を実行する。制御手段１００は、先ずステップＳ６においてカバースイッチ６（ＳＷ１）がＯＦＦしたか否か、即ち前カバー２ａが開けられたか否かをチェックする。カバースイッチ６（ＳＷ１）がＯＦＦしなければ前カバー２ａが開けられていないので、制御手段１００は転写紙を取り除く作業が開始されていないと判断して待つ。ステップＳ６においてカバースイッチ６（ＳＷ１）がＯＦＦしたならば、制御手段１００は前カバー２ａが開けられて転写紙を取り除く作業が開始されたと判断して、ステップＳ７に進んで定着装置検出スイッチ７４（ＳＷ１０）がＯＮしてからＯＦＦしたか否かをチェックする。これは、定着装置５０を装着位置から取り出して、装着状態では確認困難な定着ハウジング５１内でのジャムの有無の確認およびジャムした転写紙を除去した後に装着位置に再び位置付けたかを判定するためである。なお、図示の実施形態においては定着装置５０の脱着の判定をするために定着装置検出スイッチ７４（ＳＷ１０）を用いたが、定着装置５０の脱着の判定は定着ローラ５２の周表面の温度を検出するサーミスタ５５（ＴＨＭ）からの温度信号に基づいて行うことことができる。即ち、定着装置５０が装着位置から取り出されると定着ローラ５２を加熱するハロゲンランプ５４（ＨＥＴ）のコネクタ７１とコネクタ端子７３との接続が外れて定着ローラ５２の温度が低下し、定着装置５０が装着位置に位置付けられるとコネクタ７１とコネクタ端子７３とが接続されて定着ローラ５２が予熱温度まで加熱されるので、定着ローラ５２の温度を検出することによって定着装置５０の脱着を判定することができる。
　【００２０】
　ステップＳ７において定着装置検出スイッチ７４（ＳＷ１０）がＯＮしてからＯＦＦしなければ、制御手段１００は定着装置５０の脱着が行われていないと判断して待つ。ステップＳ７において定着装置検出スイッチ７４（ＳＷ１０）がＯＮしてからＯＦＦしたな
ら
　【００２１】
　以上のように、図示の実施形態においては転写紙搬送路３５中でジャムが発生し表示手段１２（ＤＳＰ）にジャム表示されると、転写紙搬送路３５にジャムして転写紙を取り除いても定着装置５０の脱着を確認しない限り、ジャム表示は消去されない。従って、ジャムが発生した場合は定着装置５０を装着位置から一旦取り出すことが義務つけられるため、定着装置５０を取り出すことにより、定着ハウジング５１内でのジャムの有無の確認およびジャムした転写紙の除去が容易となる。
　【００２２】
　【発明の効果】
　本発明による画像形成機のジャム処理装置は以上のように構成されているので、以下の作用効果を奏する。
　【００２３】
　即ち、本発明によれば、制御手段は、転写紙搬送路に転写紙がジャムしていると判定して該表示手段にジャム表示を行うと、その後転写紙検出手段が転写紙を検出しなくても定着装置検出手段が定着装置の装着位置からの離脱と装着位置への位置付けを検出しないときは表示手段へのジャム表示を継続するので、ジャムが発生した場合は定着装置を装着位置から一旦取り出すことが義務つけられることになる。従って、定着装置を一旦取り出すことにより、定着ハウジング内でのジャムの有無の確認およびジャムした転写紙の除去が容易となる。
【図面の簡単な説明】
　【図１】
　本発明に従って構成された定着装置を備えた画像形成機の一実施形態を示す斜視図。
　【図２】
　図１の画像形成機の概略構成断面図。
　【図３】
　図１の画像形成機の装備される定着装置が装着位置に位置付けられた状態を示す要部側面図。
　【図４】
　図１の画像形成機の制御手段を示すブロック図。
　【図５】
　図４に示す制御手段のジャム処理動作の一実施形態をフローチャート。
　【符号の説明】
　　　２：機体ハウジング
　　　２ａ：前カバー
　　　４：静止透明板
　　　５：自動原稿搬送装置
　　　６：カバースイッチ（ＳＷ１）
　　　７：操作盤
　　　８：複写開始キー（ＳＷ２）
　　　９：両面複写指定キー（ＳＷ３）
　　１０：複写部数設定キー（ＳＷ４）
　　１１：テンキー（ＳＷ５）
　　１２：表示手段（ＤＳＰ）
　　２０：感光体ドラム
　　２１：帯電用コロナ放電器
　　２２：現像装置
　　２３：転写用コロナ放電器
　　２４：剥離用コロナ放電器
　　２５：クリーニングユニット
　　２６：除電ランプ
　　２７：照射ランプ
　　２８：第１のミラー
　　２９：第２のミラー
　　３０：第３のミラー
　　３１：レンズ
　　３２：第４のミラー
　　３５：転写紙搬送路
　　３６：搬送ローラ対
　　３７：搬送ローラ対
　　３８：レジストローラ対
　　４０：転写紙検出スイッチ（ＳＷ６）
　　４１：転写紙検出スイッチ（ＳＷ７）
　　４３：転写紙送給装置
　　４４ａ、４４ｂ：転写紙カセット
　　４５ａ、４５ｂ：転写紙送出ローラ
　　４６ａ、４６ｂ：さばきローラ対
　　４８：転写紙搬送ベルト機構
　　５０：定着装置
　　５１：定着ハウジング
　　５２：定着ローラ
　　５３：加圧ローラ
　　５４：ハロゲンランプ（ＨＥＴ）
　　５５：サーミスタ（ＳＷ６）
　　６０：排出ローラ対
　　６１：転写紙検出スイッチ（ＳＷ８）
　　６２：転写紙検出スイッチ（ＳＷ９）
　　６３：排出トレイ
　　７１：コネクタ
　　７２：コネクタ
　　７３：コネクタ端子
　　７４：コネクタ端子
　　７５：定着装置検出スイッチ（ＳＷ１０）
　　７５：電源スイッチ（ＳＷ７）
　１００：制御手段
　１０１：中央処理装置（ＣＰＵ）
　１０２：リードオンリメモリ（ＲＯＭ）
　１０３：ランダムアクセスメモリ（ＲＡＭ）
　１０４：タイマ
　１０５：カウンタ
　１０６：入力インターフェース
　１０７：出力インターフェース